(57)【要約】【課題】  監視端末上に特殊な専用プログラムを搭載せずとも、メール送受信機能および添付された画像ファイルの表示が可能な端末であれば、監視端末として使用できるようにした、プラント監視システムのサーバ装置を得る。【解決手段】  監視端末と通信ネットワーク１３を介してメール通信を行なう、メール受信機能部２１とメール送信機能部２２、および、プラントから収集したデータを蓄積したプラントデータベース１１からデータを抽出して、プラント運用状況のトレンドグラフを作成するトレンドグラフ作成機能部２３を備え、監視端末からの要求メールに応じて、トレンドグラフ作成機能部でトレンドグラフを作成し、作成したトレンドグラフを、メール送信機能部から要求元の監視端末へメール送信するよう構成されている。【選択図】  図２
2006228032.tif 000002
【特許請求の範囲】
【請求項１】
監視端末と通信ネットワークを介してメール通信を行なう、メール受信機能部とメール送信機能部、および、プラントから収集したデータを蓄積したプラントデータベースからデータを抽出して、プラント運用状況のトレンドグラフを作成するトレンドグラフ作成機能部を備え、所定時に、上記トレンドグラフ作成機能部で作成したトレンドグラフを、上記メール送信機能部から所定の監視端末へメール送信するよう構成したことを特徴とするプラント監視システムのサーバ装置。
【請求項２】
監視端末からの要求メールに応じて、上記トレンドグラフ作成機能部でトレンドグラフを作成し、作成したトレンドグラフを、上記メール送信機能部から要求元の監視端末へメール送信するよう構成したことを特徴とする請求項１に記載のプラント監視システムのサーバ装置。
【請求項３】
プラント監視システムが、少なくとも監視端末の登録情報を有する端末情報データベースを備えており、上記サーバ装置には、プラントの故障発生状況を監視する故障検出機能部を備え、上記故障検出機能部が故障を検出した時に、トレンドグラフ作成機能部でトレンドグラフを作成し、メール送信機能部から上記端末情報データベースに登録された監視端末にメール送信するよう構成したことを特徴とする請求項１に記載のプラント監視システムのサーバ装置。
【請求項４】
プラント監視システムが、少なくとも監視端末の登録情報を有する端末情報データベースを備えており、上記サーバ装置には、定期的に監視端末へトレンドグラフを送信するための送信指令を出す定周期配信機能部を備え、上記定周期配信機能部からの指令に応じて、トレンドグラフ作成機能部でトレンドグラフを作成し、メール送信機能部から上記端末情報データベースに登録された監視端末にメール送信するよう構成したことを特徴とする請求項１に記載のプラント監視システムのサーバ装置。
【請求項５】
上記サーバ装置には、監視端末からの要求メールに応じて、上記端末情報データベースの変更を行なう端末情報データベース変更機能部を備えたことを特徴とする請求項３または請求項４に記載のプラント監視システムのサーバ装置。
【発明の詳細な説明】
【技術分野】
【０００１】
この発明は、携帯電話やパソコンなどの監視端末を用いて水処理プラントなどのプラントの稼動状態を監視する、プラント監視システムのサーバ装置に関するものである。
【背景技術】
【０００２】
携帯端末からの要求に従い、プラントの運用状況を示すトレンドグラフの表示イメージをサーバ装置にて作成し、携帯端末に送信するようにした、従来のモバイル監視システムとして、例えば、特開２００４―２１９４９号公報（以下特許文献１と称す。）に示されるものがある。
すなわち、この特許文献１に示されるモバイル監視システムは、携帯端末との通信を行なう通信装置と、携帯端末の電話番号毎のサーバへのアクセス可否を示したアクセス許可者リストと、指定された携帯端末の電話番号を前記アクセス許可者リストと照合して、アクセス許可者のみを入出力処理部に通知するアクセス制御部と、プラントからのプロセスデータにより携帯端末用の表示データを作成して携帯端末に出力するとともにプロセスデータ保存部に保存し、かつ携帯端末からの操作要求によりメニューデータベースから操作要求メニューを携帯端末に出力するとともに携帯端末からのプラント操作信号をプラント側に出力する入出力制御部とを備えたモバイル監視システムにおいて、プラント側から読み込んだプロセスデータを時刻とともに記録し、保存する履歴データ保存部と、携帯端末で指定したポイントの履歴データを前記履歴データ保存部から抽出し、履歴データをトレンドグラフとして描画データ化し、携帯端末で表示可能なファイル形式に変換する履歴データ処理部と、メニューデータベースと引き換えて、携帯端末に表示するメニュー項目にトレンドグラフ表示機能を追加したメニューデータベースとを備えたものである。
【０００３】
【特許文献１】特開２００４―２１９４９号公報（第８頁、第１４頁、図１７〜図２０）
【発明の開示】
【発明が解決しようとする課題】
【０００４】
しかしながら、上記従来装置においては、トレンドグラフの表示イメージを携帯端末へ表示するために、サーバ装置と通信を行なう特殊なプロトコルに対応するアプリケーションを携帯端末へ搭載する必要があり、携帯端末上にサーバ装置との通信を行なう専用プログラムを開発、搭載する必要があった。
また、使用する携帯端末の機種が限定されるという問題もあった。
また、従来の方式では、トレンドグラフを表示する場合にプラント監視員が手動で専用プログラムを起動する必要があり、プラントの故障発生時や、定期的に、トレンドグラフを自動的に配信するような機能は備えていないものである。
【０００５】
この発明は上記のような課題を解決するためになされたもので、監視端末上に特殊な専用プログラムを搭載せずとも、メール送受信機能および添付された画像ファイルの表示が可能な端末であれば、携帯端末に限らず事務所、自宅などで使用する一般的なパソコンもプラントの監視端末として使用できるようにした、プラント監視システムのサーバ装置を提供することを目的とする。
【０００６】
さらに、プラントの故障発生時や、定期的に、監視端末へトレンドグラフが自動配信されるようにしたプラント監視システムのサーバ装置を提供することを目的とする。
【課題を解決するための手段】
【０００７】
この発明に係るプラント監視システムのサーバ装置は、監視端末と通信ネットワークを介してメール通信を行なう、メール受信機能部とメール送信機能部、および、プラントから収集したデータを蓄積したプラントデータベースからデータを抽出して、プラント運用状況のトレンドグラフを作成するトレンドグラフ作成機能部を備え、所定時に、上記トレンドグラフ作成機能部で作成したトレンドグラフを、上記メール送信機能部から所定の監視端末へメール送信するよう構成したものである。
【発明の効果】
【０００８】
この発明によれば、メール送受信機能および添付された画像ファイルの表示が可能な監視端末さえあれば、プラント監視員が任意の時点でサーバ装置へ要求メールを送信することで、監視端末上に専用プログラムを搭載せずとも、どこでも簡単に最新状況のトレンドグラフを取得し、プラントの運用状況を知ることができる。
【０００９】
また、監視端末へのトレンドグラフの自動配信が可能となり、プラントで故障が発生した場合に監視端末へトレンドグラフを送信することで、プラント監視員が即座にプラントの故障状況を知るようにすることができる。
【００１０】
また、定期的にサーバ装置からトレンドグラフを送信することで、監視員が毎回要求メールを送信せずとも、自動的にプラントの運用状況を知るようにすることができる。
【発明を実施するための最良の形態】
【００１１】
実施の形態１．
以下、この発明の実施の形態１を図に基づいて説明する。
図１は、プラント監視システムの概略構成図であり、１１は、プラントから収集したデータを蓄積するプラントデータベース、１２は、プラントの故障発生の検出、トレンドグラフの作成およびメールの送受信を行なうサーバ装置、１３は、メールを送受信するための通信ネットワークであるインターネット網、１４、１５、１６は、メールの送受信およびトレンドグラフを表示するパソコン、携帯電話、ＰＤＡ等の監視端末である。
なお、プラントから収集したデータをプラントデータベースへ登録するまでの方式については、この発明の範囲外であるため説明は省略する。
【００１２】
図２は、サーバ装置１２のソフトウェア構成図であり、２１は、インターネット網１３よりメールを受信し、要求内容に従い関連する機能へ指示を出すメール受信機能部、２２は、トレンドグラフを添付したメールをインターネット網１３へ送信するメール送信機能部、２３は、プラントデータベース１１を参照し、トレンドグラフを作成するトレンドグラフ作成機能部である。
【００１３】
次にこの発明の実施の形態１の動作について図３のフローチャート図に基づき説明する。なお、サーバ装置１２で実現する各機能の名称については、図２に基づいて説明する。
まず、メール受信機能部２１は、インターネット網１３を経由して監視端末からのメール送信要求を受信し、トレンドグラフ作成機能部２３へ通知する（ステップＳＴ３１）。
次にトレンドグラフ作成機能部２３は、プラントデータベース１１を参照し（ステップＳＴ３２）、トレンドグラフを作成する（ステップＳＴ３３）。
作成したトレンドグラフは、要求元の監視端末へメール送信するためにメール送信機能部２２へ通知され、メール送信機能部２２はインターネット網１３を経由して監視端末へトレンドグラフを添付したメールを送信する（ステップＳＴ３４）。
【００１４】
以上のように、この発明の実施の形態１によるプラント監視システムのサーバ装置によれば、サーバ装置が、監視端末１４、１５、１６と通信ネットワーク１３を介してメール通信を行なう、メール受信機能部２１とメール送信機能部２２、および、プラントから収集したデータを蓄積したプラントデータベース１１からデータを抽出して、プラント運用状況のトレンドグラフを作成するトレンドグラフ作成機能部２３を備えており、監視端末からの要求メールに応じて、トレンドグラフ作成機能部２３でトレンドグラフを作成し、作成したトレンドグラフを、メール送信機能部２２から要求元の監視端末へメール送信するよう構成したので、メール送受信機能および添付された画像ファイルの表示が可能な監視端末さえあれば、プラント監視員が任意の時点でサーバ装置へ要求メールを送信することで、監視端末上に専用プログラムを搭載せずとも、どこでも簡単に最新状況のトレンドグラフを取得し、プラントの運用状況を知ることができる。
【００１５】
実施の形態２．
上記実施の形態１においては、プラント監視員がトレンドグラフを取得するために、監視端末から要求メールを送信するものについて示したが、実施の形態２では、プラントで故障が発生した時点で、プラント監視員が自動的に最新状況のトレンドグラフを取得し、プラントの運用状況を知ることができるようにしたものである。
【００１６】
以下、この発明の実施の形態２を図４〜図６に基づいて説明する。なお、図中、図１〜図３との同一符号は、同一または相当部分を示し、説明は省略する。
図４は、プラント監視システムの概略構成図であり、４１は、トレンドグラフを表示する監視端末に関する登録情報や、監視端末の画面サイズ、取得データ、期間、サンプル数など、監視端末の属性を保存する端末情報データベースである。
【００１７】
図５はサーバ装置１２のソフトウェア構成図であり、５１は、プラントで故障が発生した場合にトレンドグラフを送信するために故障発生状況を監視する故障検出機能部である。
【００１８】
なお、プラントの故障をサーバ装置へ通知するまでの方式、およびプラントから収集したデータをプラントデータベースへ登録するまでの方式については、この発明の範囲外であるため説明は省略する。
【００１９】
次に、この発明の実施の形態２の動作について、図６のフローチャート図に基づき説明する。なお、サーバ装置１２で実現する各機能の名称については図５に基づいて説明する。
まず、プラントに故障が発生した場合、故障検出機能部５１がプラントの故障を検出し、トレンドグラフ作成機能部２３へ通知する（ステップＳＴ６１）。
トレンドグラフ作成機能部２３は、トレンドグラフを作成するためにプラントデータベース１１を参照する（ステップＳＴ６２）。
次に、トレンドグラフの送信先の情報を取得するために、端末情報データベース４１を参照し（ステップＳＴ６３）、トレンドグラフ作成機能部２３がトレンドグラフを作成する（ステップＳＴ６４）。
作成したトレンドグラフは、端末情報データベース４１に登録された全ての登録者を対象とし（ステップＳＴ６５）、メール送信機能部２２へ通知され、メール送信機能部２２は、インターネット網１３を経由して監視端末へトレンドグラフを添付したメールを送信する（ステップＳＴ４６）。
【００２０】
以上のように、この発明の実施の形態２においては、プラント監視システムが、少なくとも監視端末の登録情報を有する端末情報データベース４１を備えており、サーバ装置１２には、プラントの故障発生状況を監視する故障検出機能部５１を備え、故障検出機能部５１がプラントの故障を検出した時に、トレンドグラフ作成機能部２３でトレンドグラフを作成し、メール送信機能部２２から端末情報データベース４１に登録された監視端末にメール送信するよう構成したので、プラントで故障が発生した場合、監視端末へトレンドデータをメールにて送信することで、プラント監視員は即座にプラントの故障状況を知ることができる。
【００２１】
実施の形態３．
上記実施の形態２においては、プラントで故障が発生した場合に、サーバ装置でトレンドグラフを作成し、プラント監視員へメールにて通知することで、プラント監視員が即座にプラントの故障状況を知ることができるものについて示したが、実施の形態３では、プラントの故障発生有無に依存せず、定期的にサーバ装置からトレンドグラフを送信することで、監視員がプラントの運用状況を知ることができるようにしたものである。
【００２２】
以下、この発明の実施の形態３を図７〜図８に基づいて説明する。
なお、図中、実施の形態１および２との同一符号は、同一または相当部分を示し、また、プラント監視システムのシステム構成は図４と同様のため、説明は省略する。
【００２３】
図７はサーバ装置１２のソフトウェア構成図であり、７１は、定期的に監視端末へトレンドグラフをメールにて送信するために現在時刻を監視し、定期的に送信指令を出す定周期配信機能部である。
【００２４】
なお、プラントから収集したデータをプラントデータベースへ登録するまでの方式については、この発明の範囲外であるため説明はする。
【００２５】
次に、この発明の実施の形態３の動作について、図８のフローチャート図に基づき説明する。なお、サーバ装置１２で実現する各機能の名称については図７に基づいて説明する。
まず、定周期配信機能部７１が定周期でトレンドデータを送信する時刻まで待機し、所定の時刻がきたら送信指令をトレンドグラフ作成機能部２３へ通知する（ステップＳＴ８１）。
トレンドグラフ作成機能部２３は、トレンドグラフを作成するためにプラントデータベース１１を参照する（ステップＳＴ８２）。
次に、トレンドグラフの送信先の情報を取得するために端末情報データベース４１を参照し（ステップＳＴ８３）、トレンドグラフを作成する（ステップＳＴ８４）。
作成したトレンドグラフは端末情報データベース４１に登録された全ての登録者を対象とし（ステップＳＴ８５）、メール送信機能部２２へ通知され、メール送信機能部２２は、インターネット網１３を経由して監視端末へトレンドグラフを添付したメールを自動的に送信する（ステップＳＴ８６）。
【００２６】
以上のように、この発明の実施の形態３においては、プラント監視システムが、少なくとも監視端末の登録情報を有する端末情報データベース４１を備えており、サーバ装置１２には、定期的に監視端末へトレンドグラフを送信するための送信指令を出す定周期配信機能部７１を備え、定周期配信機能部７１からの指令に応じて、トレンドグラフ作成機能部２３でトレンドグラフを作成し、メール送信機能部２２から端末情報データベース４１に登録された監視端末にメール送信するよう構成したので、プラントの故障発生の有無に依存せず、定期的にサーバ装置からトレンドグラフを送信することで、監視員が毎回要求メールを送信せずとも、自動的にプラントの運用状況を知ることができる。
【００２７】
実施の形態４．
上記実施の形態２〜３においては、サーバ装置からトレンドグラフをメールにて自動配信するものについて示したが、実施の形態４は、自動配信の対象となる監視端末の登録・削除を行なうことができるようにしたものである。
【００２８】
以下、この発明の実施の形態４を図９〜図１０に基づいて説明する。
なお、図中、実施の形態１〜３との同一符号は、同一または相当部分を示し、また、プラント監視システムのシステム構成は図４と同様のため、説明は省略する。
【００２９】
図９はサーバ装置１２のソフトウェア構成図であり、９１は、監視端末からの要求に従い、端末情報データベース４１のデータ変更を行なう端末情報データベース変更機能部である。
【００３０】
次に、この発明の実施の形態４の動作について、図１０のフローチャート図に基づき説明する。なお、サーバ装置１２で実現する各機能の名称については図９に基づいて説明する。
まず、メール受信機能部２１は、インターネット網１３を経由して監視端末から監視端末の登録・削除要求を受信し、端末情報データベース変更機能部９１へ通知する（ステップＳＴ１０１）。
次に、端末情報データベース変更機能部９１は、端末情報データベース４１より要求元の監視端末の情報を検索する（ステップＳＴ１０２）。
監視端末からの要求が、端末情報データベース４１への登録依頼であり（ステップＳＴ１０３）、かつ要求元の監視端末の情報が端末情報データベース４１に登録されていない場合には（ステップＳＴ１０４）、端末情報データベース４１へ要求元の監視端末情報を登録する（ステップＳＴ１０５）。
監視端末からの要求が、端末情報データベース４１からの削除依頼であり（ステップＳＴ１０３）、かつ要求元の監視端末の情報が端末情報データベース４１に登録済みの場合には（ステップＳＴ１０６）、端末情報データベース４１より要求元の監視端末情報を削除する（ステップＳＴ１０７）。
【００３１】
以上のようにこの発明の実施の形態４においては、実施の形態２あるいは実施の形態３のサーバ装置において、更に、監視端末からの要求メールに応じて、上記端末情報データベース４１の変更を行なう端末情報データベース変更機能部９１を備えるよう構成したので、監視員が監視端末より要求メールを送信することで、トレンドグラフを自動配信する監視端末の変更（登録あるいは削除）を容易に行なうことができる。  
【産業上の利用可能性】
【００３２】
この発明は、携帯端末や、パソコンなどの監視端末を用いて、遠隔地からプラントの運用状態を監視するプラント監視システムに適用できるものである。
【図面の簡単な説明】
【００３３】
【図１】この発明の実施の形態１におけるプラント監視システムの概略構成図である。
【図２】この発明の実施の形態１におけるサーバ装置のソフトウェア構成図である。
【図３】この発明の実施の形態１の動作を説明するためのフローチャート図である。
【図４】この発明の実施の形態２におけるプラント監視システムの概略構成図である。
【図５】この発明の実施の形態２におけるサーバ装置のソフトウェア構成図である。
【図６】この発明の実施の形態２の動作を説明するためのフローチャート図である。
【図７】この発明の実施の形態３におけるサーバ装置のソフトウェア構成図である。
【図８】この発明の実施の形態３の動作を説明するためのフローチャート図である。
【図９】この発明の実施の形態４におけるサーバ装置のソフトウェア構成図である。
【図１０】この発明の実施の形態４の動作を説明するためのフローチャート図である。
【符号の説明】
【００３４】
１１：プラントデータベース、１２：サーバ装置、１３：インターネット網、
１４、１５、１６：監視端末、２１：メール受信機能部、２２：メール送信機能部、２３：トレンドグラフ作成機能部、４１：端末情報データベース、５１：故障検出機能部、７１：定周期配信機能部、９１：端末情報データベース変更機能部。
【図１】
2006228032.tif 000003
【図２】
2006228032.tif 000004
【図３】
2006228032.tif 000005
【図４】
2006228032.tif 000006
【図５】
2006228032.tif 000007
【図６】
2006228032.tif 000008
【図７】
2006228032.tif 000009
【図８】
2006228032.tif 000010
【図９】
2006228032.tif 000011
【図１０】
2006228032.tif 000012